(57)【要約】      （修正有）【課題】カテーテルの遠位端に装着されたバルーンを患者の血管口に位置付けるための方法を提供する。【解決手段】方法は、バルーン４０と口６２の全周囲との間の周方向の物理的接触を達成しようとすること、を含む。口を横断する１つ以上のスライスが、磁気共鳴撮像（ＭＲＩ）で撮像され、口の周囲に沿った血流の程度が、ＭＲＩを使用して推定される。血流の推定程度に基づいて、バルーンと口との間の周方向の物理的接触の程度をユーザに示す。【選択図】図２
2020022749.tif 000002
【特許請求の範囲】
【請求項１】
医療システムであって、
ＭＲＩシステムによって取得された患者の血管口を横断する１つ以上の磁気共鳴撮像（ＭＲＩ）スライスを、カテーテルの遠位端に装着されたバルーンが前記口に位置付けられ、前記バルーンと前記口の全周囲との間の周方向の物理的接触を達成しようとする間に、受け入れるように構成されている、インターフェースと、
プロセッサであって、
前記ＭＲＩシステムを使用して、前記口の前記周囲に沿った血流の程度を推定し、
血流の前記推定程度に基づいて、ユーザに、前記バルーンと前記口との間の前記周方向の物理的接触の程度を示すように、構成されているプロセッサと、
を備える、医療システム。
【請求項２】
前記バルーンが、肺静脈口に位置付けられるように構成されている、請求項１に記載のシステム。
【請求項３】
前記プロセッサが、前記周方向の物理的接触の前記示された程度に基づいて、前記バルーンを使用して処置を実行することを示すように更に構成されている、請求項１に記載のシステム。
【請求項４】
前記バルーンが、高周波（ＲＦ）アブレーション処置を実行するように構成されている、請求項３に記載のシステム。
【請求項５】
前記バルーンが、低温アブレーション処置を実行するように構成されている、請求項３に記載のシステム。
【請求項６】
前記バルーンが、レーザーアブレーション処置を実行するように構成されている、請求項３に記載のシステム。
【請求項７】
前記プロセッサが、血流を示すために造影剤の注入を必要としないＭＲＩプロトコルに基づいて物理的接触の程度を示すように構成されている、請求項１に記載のシステム。
【請求項８】
前記ＭＲＩシステムが、経時的に一連の前記スライスを取得するように構成されている、請求項１に記載のシステム。
【発明の詳細な説明】
【技術分野】
【０００１】
本発明は、概して、医療用プローブの誘導技術に関し、特に、ＭＲＩを使用したバルーンカテーテルの誘導に関する。
【背景技術】
【０００２】
体内プローブのＭＲＩ誘導のための様々な技術が、これまでに提案されている。例えば、米国特許公開第２０１０／０３１２０９６号は、ＭＲＩ誘導手順中に患者の解剖学的構造及び医療用装置の動的（双方向）可視化をもたらすように構成され、また、標的の解剖学的構造、例えば、心臓の画定部分の少なくとも１つのユーザ選択可能３Ｄ体積測定（組織特定）マップを含んでもよいＭＲＩ誘導心臓介入システムについて記載している。いくつかの実施形態では、画像スライスは、組織の接触又はアブレーションエネルギーの起動時に装置の可視化を可能にして、治療、例えばアブレーションエネルギーを受けている間に、装置（例えば、カテーテル）、装置−組織のインターフェース、及び／又は（心筋）組織の可視化を可能にするように位置合わせすることができる。患者のセグメント化された磁気共鳴血管造影（ＭＲＡ）撮像体積を使用して、脈管構造内の血流増加並びに／又は相対的に大きな流路領域及び小さな流路領域を示し得る脈管組織特定マップを生成することができる。
【０００３】
別の例として、米国特許公開第２０１１／００２８８２９号は、左心房及び肺静脈に隣接する心組織からの信号をほぼ抑制する、非コントラスト増強肺静脈磁気共鳴撮像用のシステム及び方法を記載している。隣接する解剖学的構造に対する左心房及び肺静脈の有意な被視認性が得られる。このようにして、肺静脈口のサイズがより正確に測定し易くなり、肺静脈隔離手順中の高周波アブレーションカテーテルによる撮像体積のより正確な表示が容易になる。加えて、造影剤を投与することなく、左心房及び肺静脈のより確固とした三次元体積図が作成される。
【発明の概要】
【課題を解決するための手段】
【０００４】
本発明の一実施形態は、カテーテルの遠位端に装着されたバルーンを患者の血管口に位置付けて、バルーンと口の全周囲との間の周方向の物理的接触を達成しようとすること、を含む、方法を提供する。口を横断する１つ以上のスライスが、磁気共鳴撮像（ＭＲＩ）で撮像され、口の周囲に沿った血流の程度が、ＭＲＩを使用して推定される。血流の推定程度に基づいて、バルーンと口との間の周方向の物理的接触の程度をユーザに示す。
【０００５】
いくつかの実施形態では、本方法は、肺静脈口にバルーンを位置付けること、を含む。
【０００６】
いくつかの実施形態では、本方法は、周方向の物理的接触の示された程度に基づいて、バルーンを使用して処置を実行すること、を含む。
【０００７】
一実施形態では、本方法は、高周波（ＲＦ）アブレーションを実行すること、を含む。
【０００８】
別の実施形態では、本方法は、低温アブレーションを実行すること、を含む。
【０００９】
一実施形態において、本方法は、レーザーアブレーションを実行すること、を含む。
【００１０】
いくつかの実施形態では、本方法は、血流を示すために造影剤の注入を必要としないＭＲＩプロトコルを適用すること、を含む。
【００１１】
いくつかの実施形態では、本方法は、経時的に一連のスライスを取得すること、を含む。
【００１２】
更に、本発明の一実施形態によれば、インターフェース及びプロセッサを含む医療システムが提供される。インターフェースは、患者の血管口にわたってＭＲＩシステムによって取得された１つ以上の磁気共鳴撮像（ＭＲＩ）スライスを、カテーテルの遠位端に取り付けられたバルーンが口に位置付けられ、バルーンと口の全周囲との間の周方向の物理的接触を達成しようとする間に、受け入れるように構成されている。プロセッサは、ＭＲＩシステムを使用して、口の周囲に沿った血流の程度を推定し、血流の推定程度に基づいて、バルーンと口との間の周方向の物理的接触の程度をユーザに示すように構成される。
【００１３】
本発明は、以下の「発明を実施するための形態」を図面と併せて考慮すると、より完全に理解されよう。
【図面の簡単な説明】
【００１４】
【図１】本発明の一実施形態による、カテーテルベースの位置追跡及びアブレーションシステムの概略図である。
【図２】本発明の一実施形態による、肺静脈口に位置付けられたアブレーションバルーンの概略図である。
【図３】本発明の一実施形態による、磁気共鳴撮像（ＭＲＩ）流測定を用いる、バルーン位置付けの方法を概略的に示すフローチャートである。
【発明を実施するための形態】
【００１５】
概論
血管口などの血液充填器官の効率的なバルーン処置手順は、バルーン処置が口の全周囲にわたって同時に実行され得るときに、バルーンの全周囲が口組織と物理的に接触することで最適に実行される。例えば、高周波（ＲＦ）アブレーション処置では、このような最適なバルーン位置付けにより、全てのＲＦ電極が口の周囲組織を同時にアブレーションするようにトリガされる「ワンショット」アブレーションが可能になる。例えば、肺静脈（ＰＶ）隔離手順では、アブレーションバルーンの最適位置は、バルーンの周囲にわたって配設された電極の全てが口と物理的に接触している場所である。
【００１６】
例えば、バルーン処置が、光透視画像を撮影することができる手順で行われている場合、造影剤を血液に注入することによって、バルーンが正しく位置付けられているか確認することができる。次いで、医師は、バルーンが（例えば、ＰＶの）口を有効に「封止」していることを見ることができる。
【００１７】
しかしながら、磁気共鳴撮像（ＭＲＩ）手順では、蛍光透視法は一般に利用不可能であり、ＭＲＩ造影剤がまだ使用され得るが、良好な画像は得られず、また、ＭＲＩシステムは造影剤をリアルタイムで画像化しない。この場合、バルーンの正しい位置付けは、インピーダンス測定を使用して、全ての電極が、例えば口組織と良好に接触していることを検証することによって確認し得る。しかしながら、特に、静脈組織に問題のある患者（例えば、瘢痕化又は脂肪性の表層付着物による）の場合、インピーダンス測定が信頼できないため、その測定値は良好な接触の有効な指標とはならない場合がある。
【００１８】
以下説明する本発明の実施形態は、ＭＲＩ手順と共に使用され、造影剤の注入なしに血流を測定及び可視化することができるいくつかの可能なプロトコルのうちの１つを利用する。このようなプロトコルの一例は、位相コントラストシネ（ＰＣ）ＭＲＩである。ＰＣ−ＭＲＩは、標的口の断面領域全体からの血流情報を提供する。この情報に基づいて、プロセッサは、口の周囲を通る血流の程度を推定する。ＰＣ−ＭＲＩプロトコルの詳細な説明は、様々な刊行物、例えば、Ｖａｌｓａｎｇｉａｃｏｍｏ  ｅｔ  ａｌ．によるジャーナル論文、Ｐｅｄｉａｔｒｉｃ  Ｒａｄｉｏｌｏｇｙ、Ｖｏｌｕｍｅ  ３３、Ｉｓｓｕｅ  ９、２００３年９月、６０７〜６１３頁、「Ｐｈａｓｅ−ｃｏｎｔｒａｓｔ  ＭＲ  ａｓｓｅｓｓｍｅｎｔ  ｏｆ  ｐｕｌｍｏｎａｒｙ  ｖｅｎｏｕｓ  ｂｌｏｏｄ  ｆｌｏｗ  ｉｎ  ｃｈｉｌｄｒｅｎ  ｗｉｔｈ  ｓｕｒｇｉｃａｌｌｙ  ｒｅｐａｉｒｅｄ  ｐｕｌｍｏｎａｒｙ  ｖｅｉｎｓ」で入手可能である。実際には、心臓脈管ＭＲＩでの位相コントラスト流及び速度画像を提供して血流を定量化するＭＲＩシステム用の市販パッケージ、例えば、Ｓｉｅｍｅｎｓ製のＭＲＩ用ソフトウェアｓｙｎｇｏ．ｖｉａを使用することができる。
【００１９】
任意の解剖学的位置及び向きを有するどのような血管も、所望の平面（すなわち、スライス）でＭＲＩを使用して撮像することができる。ＰＶの口の全周囲にわたって血流を正確に測定するために、後述するように、スライスは口において肺静脈に垂直とすべきである。
【００２０】
いくつかの実施形態では、医師などのユーザは、患者の器官に挿入するためにシャフトの遠位端に装着されるバルーンを、患者の血管口に位置付ける。医師は、スライス内の血流を推定するために、口を横断する１つ以上のスライスを撮像する、磁気共鳴撮像（ＭＲＩ）システムを操作する。推定された血流に基づいて、プロセッサは、バルーンと口周囲組織との周方向の物理的接触の程度を医師に示す。口の周囲の特定点における血流の完全な遮断は、その点での良好な物理的接触を示し、逆もまた同様である。
【００２１】
いくつかの実施形態では、医師は、位置追跡システムを使用して心臓の左心房内でバルーンを誘導する。追跡システムは、例えば、バルーンのすぐ近位で、シャフトの遠位端に含まれる磁気位置センサを使用する。医師は、バルーンを操作してＰＶの口を遮断する。次に、医師は、口を横断するＭＲＩスライスを撮像するために、血流を明示するのに適したＭＲＩプロトコルを有する、ＭＲＩシステムを使用する。一実施形態において、プロセッサはＭＲＩスライスを分析して、明示された血流に基づいて、バルーンと口組織との物理的接触の質（例えば、程度）を示す。上述したように、血流の欠如は、良好な接触を示し、逆もまた同様である。
【００２２】
バルーンの周囲上のどの点でも血流がほぼ存在しなくなるまで、バルーンが口に対して操作され得るように、約２〜３秒毎に繰り返してスライスを取得することができ、血流が存在しないことは（例えば、プロセッサが示すように）良好な物理的接触に相当する。
【００２３】
いくつかの実施形態では、口の完全な周方向の封止が行われていなくても、ＭＲＩスライスは、どのアブレーション電極に流れが存在しないかを示す。電極は（例えば、位置センサ及び／又は電極を介した電気信号を使用して）識別可能であり、アブレーション高周波発生器は、流れのない電極にのみアブレーション電流を供給するように構成される。
【００２４】
ガドリニウムベースの造影剤などのＭＲＩ造影剤は、上述したように、造影剤の注入タイミングの制約のせいで正確に適用することが困難であるとともに、潜在的な健康リスクに関連することが知られており、開示された技術により造影剤の使用の必要性が排除される。したがって、ＭＲＩ流測定を用いるバルーン位置付けに関して開示された技術は、医師がＭＲＩ撮像下でより効果的かつ安全なバルーンアブレーション手順を実行することを可能にし得る。
【００２５】
システムの説明
図１は、本発明の一実施形態による、カテーテルベースの位置追跡及びアブレーションシステム２０の概略描画図である。システム２０は、シャフト２２の遠位端に装着された、挿入図２５に示されるバルーン４０の位置を判定するために使用される。典型的には、バルーン４０は、例えば、左心房内のＰＶの口で心組織をアブレーションするために使用される。
【００２６】
バルーン４０は、医師３０によって、脈管系を介して患者２８の心臓２６内に誘導される。描画された例では、医師３０は、カテーテルの近位端近傍のマニピュレータ３２を使用してシャフト２２を操作しつつ、シース２３を通ってカテーテル２１のシャフト２２を挿入する。挿入図２５に示されるように、磁気位置センサ５０は、シャフト２２の遠位端に内蔵される。
【００２７】
カテーテル２１の近位端は、制御コンソール２４に接続されている。コンソール２４は、カテーテル２１からの信号を受信するとともに、カテーテル２１を介してエネルギーを印加して心臓２６内の組織をアブレーションし、更にシステム２０の他の構成要素を制御するための、好適なフロントエンド及びインターフェース回路３８を有する、プロセッサ３９、典型的には汎用コンピュータを備える。コンソール２４はまた、磁場発生器３６を駆動するよう構成されているドライバー回路３４を備えている。コンソール２４は、心臓２６内のカテーテル位置の遠位端を示すディスプレイ２７を駆動する。
【００２８】
心臓２６内での遠位端２２の誘導中、コンソール２４は、磁気カテーテルベースの位置追跡システムの外部磁場発生器３６からの磁場に応答して、センサ５０から位置信号を受信する。磁場発生器３６は、患者２８の既知の外部位置、例えば、患者が横たわっている台２９の下方に置かれる。
【００２９】
外部磁場を使用する位置感知方法は、様々な医療用途で実行され、例えば、Ｂｉｏｓｅｎｓｅ  Ｗｅｂｓｔｅｒ製のＣＡＲＴＯ（登録商標）システムに実装されており、米国特許第５，３９１，１９９号、同第６，６９０，９６３号、同第６，４８４，１１８号、同第６，２３９，７２４号、同第６，６１８，６１２号及び同第６，３３２，０８９号、国際公開第９６／０５７６８号、並びに米国特許公開第２００２／００６５４５５（Ａ１）号、同第２００３／０１２０１５０（Ａ１）号及び同第２００４／００６８１７８（Ａ１）号に詳述されており、これらの開示は全て参照により本明細書に組み込む。
【００３０】
更に図示されるように、患者２８は、ＭＲＩシステム４４の内洞の内側に横たわっている。いくつかの実施形態では、プロセッサ３９は、肺静脈口のスライスのＭＲＩ画像を受信するように構成され、この画像は、バルーン４０が口に対して位置付けられている間のＰＶから左心房への血流を示す。明示された血流に基づいて、プロセッサ４１は、バルーンと口組織との間の物理的接触の質を示す。一実施形態では、プロセッサ４１は、バルーンが口組織と完全に接触している（すなわち、バルーンの全周にわたっている）程度を示す。
【００３１】
いくつかの実施形態では、システム２０が磁気位置追跡サブシステムを含まない場合、プロセッサ３９は、電気カテーテルベースの位置追跡方法を使用し、この追跡方法では、電気的位置信号は、バルーン４０上に配設された電極などの心臓内電極及び／又は患者２８の皮膚に取り付けられた表面電極から受信される。プロセッサ３９は、例えばアクティブ電流位置（ＡＣＬ）法により、電気位置信号を使用してバルーン４０の位置を推定する。ＡＣＬ法は、様々な医療的用途で実行され、例えば、Ｂｉｏｓｅｎｓｅ  Ｗｅｂｓｔｅｒ  Ｉｎｃ．（ＩＲＶＩＮＥ，Ｃａｌｉｆｏｒｎｉａ）製のＣＡＲＴＯ（商標）システムに実装されており、米国特許第７，７５６，５７６号、同第７，８６９，８６５号、及び同第７，８４８，７８７号に詳細に記述されており、これらの開示は全て参照により本明細書に組み込む。
【００３２】
典型的には、プロセッサ３９は汎用コンピュータを備え、コンピュータは、本明細書に記載する機能を実行するソフトウェアにプログラムされている。ソフトウェアは、例えばネットワーク上で、コンピュータに電子形態でダウンロードすることができるか、又は代替として、又は更には、磁気メモリ、光学メモリ又は電子メモリなどの、非一時的実体的媒体上で提供及び／又は記憶されてもよい。
【００３３】
ＭＲＩ血流測定を使用するバルーン位置付け
図２は、本発明の一実施形態による、肺静脈６３の口６２に位置付けられているアブレーションバルーンの概略描画図である。バルーン４０には、複数の高周波（ＲＦ）アブレーション電極５５及び磁気センサ５０が装着されている。図示されるように、カテーテルのシャフト２２の遠位端は、シャフト２２の長手方向軸５１が口６２を横断する平面６４に対して垂直となるように、口６２に対して位置合わせされている。矢印６１は、バルーン４０と口６２の組織との間の周方向の間隙６５にわたる血流方向を示す。
【００３４】
挿入図６０は、平面６４において撮像された断面ＰＣ−ＭＲＩスライスを示し、バルーン４０、口６２、及びほぼ「円形の」間隙６５を明示している。続いて、医師３０は、バルーンを遠位に前進させて、静脈６３を有効に「封止する」（すなわち、血液が間隙６５のどの部分を通って流れることも均等に阻止する）。ＰＣ−ＭＲＩモードでは、スライスの様々な点における血流量（例えば、流量又は速度）は、例えば、平面６４を通る一方向速度グレースケール（又はカラースケール）符号を提供する速度範囲表示６６により医師に対して可視化される。この情報はプロセッサ４１にも提供される。
【００３５】
一実施形態では、明示された血流に基づいて、プロセッサ４１が、バルーン４０が口６２の周囲に対して物理的に押圧されているか否か、及びどの点が物理的に押圧されているかを示す。換言すれば、プロセッサ４１は、どのＲＦ電極５５が口６２の組織と接触しているかを医師に示す。医師は、この情報を使用して、全ての電極が静脈口と良好に物理的に接触するようにバルーンを操作することができる。一実施形態では、静脈６３の「封止」に続き、医師３０は、口６２の「ワンショット」ＲＦアブレーションを実行する、すなわち、口６２の全周囲にわたって同時にアブレーションを実行する。
【００３６】
図２に示されている例示的な図は、単に概念を明確化する目的のために選ばれたものである。図２は、本発明の実施形態に関連する部分のみを示す。バルーン４０上に配設された電気生理学的感知電極などの他のシステム要素は省略される。一実施形態では、バルーン４０は、口６２の低温アブレーションを実行するように構成されている。別の実施形態では、バルーン４０は、口６２のレーザーアブレーションを実行するように構成されている。本質的に、最初、周方向の間隙６５は、挿入図６０に示される円形形状よりも全般的に湾曲した形状を有する。更に、バルーン４０が膨らまされ、その円形の断面が口６２に押圧されると、概略的な円形表示は、口６２の形状がバルーン形状と合致することを十分に示す。
【００３７】
図３は、本発明の一実施形態による、ＭＲＩ流測定を使用するバルーン位置付け方法を概略的に示すフローチャートである。このプロセスではまず、バルーンナビゲーション工程７０で、医師３０が肺静脈６３の口６２にバルーン４０を位置付ける。次に、ＭＲＩ流撮像工程７２で、医師３０が、口６２を横断するＰＣ−ＭＲＩスライスを取得して、肺静脈６３からの血流を撮像する。ＰＣ−ＭＲＩスライスに基づいて、血流推定工程７４で、プロセッサがスライス内の血流を推定する。医師３０は、接触評価工程７６で物理的接触の質が不十分であると結論付けた場合、操作工程７８で口６２に対してバルーン４０を更に操作する。
【００３８】
続いて、このプロセスは工程７２に戻り、医師は口６２を横断する追加のＭＲＩスライスを取得して、ＭＲＩ明示された血流を使用して接触品質を検証する。バルーンの周囲上のどの点にもほぼ流れが存在しないと結論付けた場合、医師３０は、処置工程８０で「ワンショット」アブレーションを実行する。このプロセスは、医師がアブレーション手順を完了するまで継続する。
【００３９】
図３に示す例示的なフローチャートは、単に概念を明確化する目的のために選ばれたものである。例えば、代替実施形態では、静脈完全封止がＭＲＩの流により示されていなくても、ＭＲＩスライスは、どの電極に流れがないかを示す。代替処置工程では、医師３０は、流のない電極のみを使用して、周囲の一部にわたって組織をアブレーションする。このプロセスが繰り返され、口６２の全周囲がアブレーションされるまで、追加の口組織部分が口の周囲にわたってアブレーションされる。
【００４０】
本明細書に記述される実施形態は、主として心臓での用途に対処するものであるが、本明細書に記載される方法及びシステムは例えば神経及び腎臓除神経術など、アブレーションバルーンを用いて血管をアブレーションするその他の用途でも用いることができる。
【００４１】
したがって、上記に述べた実施形態は、例として引用したものであり、また本発明は、上記に具体的に示し説明したものに限定されないことが理解されよう。むしろ本発明の範囲は、上述の様々な特徴の組み合わせ及びその一部の組み合わせの両方、並びに上述の説明を読むことで当業者により想到されるであろう、また従来技術において開示されていないそれらの変形及び修正を含むものである。参照により本特許出願に援用される文献は、これらの援用文献において、いずれかの用語が本明細書において明示的又は暗示的になされた定義と矛盾して定義されている場合には、本明細書における定義のみを考慮するものとする点を除き、本出願の一部とみなすものとする。
【００４２】
〔実施の態様〕
（１）  方法であって、
カテーテルの遠位端に装着されたバルーンを患者の血管口に位置付けて、前記バルーンと前記口の全周囲との間の周方向の物理的接触を達成しようとすることと、
前記口を横断する１つ以上のスライスを磁気共鳴撮像（ＭＲＩ）で撮像し、前記ＭＲＩを使用して、前記口の前記周囲に沿った血流の程度を推定することと、
血流の前記推定程度に基づいて、ユーザに、前記バルーンと前記口との間の前記周方向の物理的接触の程度を示すことと、
を含む、方法。
（２）  前記バルーンを位置付けることが、肺静脈口に前記バルーンを位置付けること、を含む、実施態様１に記載の方法。
（３）  前記周方向の物理的接触の前記示された程度に基づいて、前記バルーンを使用して処置を実行すること、を含む、実施態様１に記載の方法。
（４）  前記バルーンを使用して前記処置を実行することが、高周波（ＲＦ）アブレーションを実行すること、を含む、実施態様３に記載の方法。
（５）  前記バルーンを使用して前記処置を実行することが、低温アブレーションを実行すること、を含む、実施態様３に記載の方法。
【００４３】
（６）  前記バルーンを使用して前記処置を実行することが、レーザーアブレーションを実行すること、を含む、実施態様３に記載の方法。
（７）  前記スライスを撮像することが、血流を示すために造影剤の注入を必要としないＭＲＩプロトコルを適用すること、を含む、実施態様１に記載の方法。
（８）  前記スライスを撮像することが、経時的に一連の前記スライスを取得すること、を含む、実施態様１に記載の方法。
（９）  医療システムであって、
ＭＲＩシステムによって取得された患者の血管口を横断する１つ以上の磁気共鳴撮像（ＭＲＩ）スライスを、カテーテルの遠位端に装着されたバルーンが前記口に位置付けられ、前記バルーンと前記口の全周囲との間の周方向の物理的接触を達成しようとする間に、受け入れるように構成されている、インターフェースと、
プロセッサであって、
前記ＭＲＩシステムを使用して、前記口の前記周囲に沿った血流の程度を推定し、
血流の前記推定程度に基づいて、ユーザに、前記バルーンと前記口との間の前記周方向の物理的接触の程度を示すように、構成されているプロセッサと、
を備える、医療システム。
（１０）  前記バルーンが、肺静脈口に位置付けられるように構成されている、実施態様９に記載のシステム。
【００４４】
（１１）  前記プロセッサが、前記周方向の物理的接触の前記示された程度に基づいて、前記バルーンを使用して処置を実行することを示すように更に構成されている、実施態様９に記載のシステム。
（１２）  前記バルーンが、高周波（ＲＦ）アブレーション処置を実行するように構成されている、実施態様１１に記載のシステム。
（１３）  前記バルーンが、低温アブレーション処置を実行するように構成されている、実施態様１１に記載のシステム。
（１４）  前記バルーンが、レーザーアブレーション処置を実行するように構成されている、実施態様１１に記載のシステム。
（１５）  前記プロセッサが、血流を示すために造影剤の注入を必要としないＭＲＩプロトコルに基づいて物理的接触の程度を示すように構成されている、実施態様９に記載のシステム。
【００４５】
（１６）  前記ＭＲＩシステムが、経時的に一連の前記スライスを取得するように構成されている、実施態様９に記載のシステム。
【図１】
2020022749.tif 000003
【図２】
2020022749.tif 000004
【図３】
2020022749.tif 000005
【外国語明細書】
2020022749000001.pdf